(57)【要約】【課題】点滴液の温度と被点滴者の体温との間の温度差が大きい場合でも点滴液を迅速に加温することができ、しかも、点滴液の急激な温度上昇による不快感を低減することのできる点滴液加温装置を提供する。【解決手段】ヒータによって加温される前の点滴液の入力温度が第１の設定温度よりも低いと、第２の電圧よりも高い第１の電圧でヒータが駆動され、ヒータの発熱量の増大によって点滴液が迅速に加温される。そして、ヒータによって加温された後の点滴液の出力温度が第１の設定温度よりも高い第２の設定温度に達すると、点滴液の出力温度が第２の設定温度よりも高い所定の温度範囲になるように、第１の電圧に代えて当該第１の電圧よりも低い第２の電圧でヒータが駆動制御され、点滴液の温度上昇が緩やかになる。【選択図】図１
2007143572.tif 000002
【特許請求の範囲】
【請求項１】
点滴チューブを通る点滴液を加温するヒータと、
前記ヒータによって加温される前の点滴液の入力温度を検出する第１の温度センサと、
前記ヒータによって加温された後の点滴液の出力温度を検出する第２の温度センサと、
前記第１および第２の温度センサからの検出温度に基づいて前記ヒータの駆動を制御するコントロールユニットとを備え、
前記コントロールユニットが、
第１の電圧で前記ヒータを駆動する第１の駆動手段と、
前記第１の電圧よりも低い第２の電圧で前記ヒータを駆動する第２の駆動手段と、
点滴液の前記入力温度が第１の設定温度よりも低い場合に、点滴液の前記出力温度が前記第１の設定温度よりも高い第２の設定温度に達するまでの間、前記第１の駆動手段で前記ヒータを駆動するように制御する第１の制御手段と、
点滴液の前記出力温度が前記第２の設定温度に達した場合に、点滴液の前記出力温度が前記第２の設定温度よりも高い所定の温度範囲になるように、前記第１の駆動手段に代えて前記第２の駆動手段で前記ヒータを駆動するように制御する第２の制御手段とを有する点滴液加温装置。
【請求項２】
前記コントロールユニットが、更に、点滴液の前記入力温度が前記第１の設定温度よりも高い場合に、点滴液の前記入力温度が前記第２の設定温度よりも高い第３の設定温度以下であることを条件として、点滴液の前記出力温度が前記所定の温度範囲になるように、前記第２の駆動手段で前記ヒータを駆動するように制御する第３の制御手段を有する請求項１に記載の点滴液加温装置。
【請求項３】
前記コントロールユニットが、更に、点滴液の前記入力温度が前記第３の設定温度よりも高い場合に、点滴液の前記入力温度が前記第３の設定温度よりも低くなるまでの間、前記ヒータを駆動しないように制御すると共に、点滴液の前記入力温度が前記第３の設定温度よりも低くなった場合に、点滴液の前記出力温度が前記所定の温度範囲になるように、前記第２の駆動手段で前記ヒータを駆動するように制御する第４の制御手段を有する請求項２に記載の点滴液加温装置。
【請求項４】
前記ヒータが、
良好な熱伝導性を有する円筒状の肉薄の加温体であって、前記加温体の内周面が前記点滴チューブの外周面に接するように前記点滴チューブを受容する前記加温体と、
前記加温体の外周面軸方向に形成された螺旋溝に螺旋状に配設された発熱抵抗体と、
前記発熱抵抗体が配設された前記加温体の外表面を覆うように設けられる熱伝導性の低いカバー層とを有する請求項１に記載の点滴液加温装置。
【発明の詳細な説明】
【技術分野】
【０００１】
本発明は点滴液を加温する点滴液加温装置に関する。
【背景技術】
【０００２】
輸血用血液を含む点滴液は通常冷蔵保管あるいは常温保管されており、点滴を受ける患者の体温と比較して低温であることが一般的である。そのため、特に点滴液の温度と患者の体温との間に大きな温度差がある場合、患者に寒気や痛み等の大きな負担を与えるおそれがある。このような観点から、点滴時に点滴液を加温する装置が提案されている。
【０００３】
この種の装置として、例えば特許文献１が存在している。
【特許文献１】特開２００４−１０５５９９号公報
【０００４】
特許文献１には、蛇腹状の点滴液通路を備えたカートリッジと、加温器本体に設けられた加熱板とを有し、カートリッジを加温器本体に装着し、加熱板によって加熱することにより、カートリッジの蛇腹状の点滴液通路を通る点滴液を加温する加温器が開示されている。
【発明の開示】
【発明が解決しようとする課題】
【０００５】
特許文献１は、点滴液が流れるカートリッジを加熱板によって所定温度に単に加熱することを教示しているだけであり、点滴液の温度と点滴を受ける患者の体温との間の温度差の大小に応じて加熱を制御することについては何も開示していない。そのため、点滴液が低温で両者の間の温度差が大きい場合、加温器から出る点滴液の温度上昇に要する時間が長くなり、患者への負担軽減を十分に図ることができないおそれがある。また、両者の温度差が小さい場合には、点滴液の温度上昇が急激になり、この急激な温度上昇によって点滴を受ける患者に新たな不快感を与えるおそれがある。
【０００６】
そこで、本発明は、点滴液の温度と点滴を受ける患者の体温との間の温度差が大きい場合でも点滴液を迅速に加温することができ、しかも、点滴液の急激な温度上昇による不快感を低減することのできる点滴液加温装置を提供することを目的とする。
【課題を解決するための手段】
【０００７】
本発明においては、点滴チューブを通る点滴液を加温するヒータと、前記ヒータによって加温される前の点滴液の入力温度を検出する第１の温度センサと、前記ヒータによって加温された後の点滴液の出力温度を検出する第２の温度センサと、前記第１および第２の温度センサからの検出温度に基づいて前記ヒータの駆動を制御するコントロールユニットとを備え、前記コントロールユニットが、第１の電圧で前記ヒータを駆動する第１の駆動手段と、前記第１の電圧よりも低い第２の電圧で前記ヒータを駆動する第２の駆動手段と、点滴液の前記入力温度が第１の設定温度よりも低い場合に、点滴液の前記出力温度が前記第１の設定温度よりも高い第２の設定温度に達するまでの間、前記第１の駆動手段で前記ヒータを駆動するように制御する第１の制御手段と、点滴液の前記出力温度が前記第２の設定温度に達した場合に、点滴液の前記出力温度が前記第２の設定温度よりも高い所定の温度範囲になるように、前記第１の駆動手段に代えて前記第２の駆動手段で前記ヒータを駆動するように制御する第２の制御手段とを有する点滴液加温装置によって、上記目的を達成する。
【０００８】
このような構成において、ヒータによって加温される前の点滴液の入力温度が第１の設定温度よりも低いと、第２の電圧よりも高い第１の電圧でヒータが駆動制御される。これにより、ヒータの発熱量が大となり、点滴液が迅速に加温される。そして、ヒータによって加温された後の点滴液の出力温度が第１の設定温度よりも高い第２の設定温度に達すると、点滴液の出力温度が第２の設定温度よりも高い所定の温度範囲になるように、第１の電圧に代えて当該第１の電圧よりも低い第２の電圧でヒータが駆動制御される。そのため、第２の設定温度から所定の温度範囲に上昇させる過程では、点滴液の温度上昇が緩やかになるように制御される。
【０００９】
前記コントロールユニットは、更に、第３の制御手段を含むことができる。第３の制御手段は、点滴液の前記入力温度が前記第１の設定温度よりも高い場合に、点滴液の前記入力温度が前記第２の設定温度よりも高い第３の設定温度以下であることを条件として、点滴液の前記出力温度が前記所定の温度範囲になるように、前記第２の駆動手段で前記ヒータを駆動するように制御する。これによれば、ヒータによって加温される前の点滴液の入力温度が第１の設定温度よりも高く且つ第３の設定温度よりも低い場合に、点滴液の温度上昇が緩やかになるように制御される。
【００１０】
前記コントロールユニットは、更に、第４の制御手段を含むことができる。第４の制御手段は、点滴液の前記入力温度が前記第３の設定温度よりも高い場合に、点滴液の前記入力温度が前記第３の設定温度よりも低くなるまでの間、前記ヒータを駆動しないように制御すると共に、点滴液の前記入力温度が前記第３の設定温度よりも低くなった場合に、点滴液の前記出力温度が前記所定の温度範囲になるように、前記第２の駆動手段で前記ヒータを駆動するように制御する。これによれば、点滴液が第３の設定温度よりも高い場合には加温が行われず、周囲温度等の影響により点滴液が第３の設定温度よりも低くなることで、加温を自動的に開始させることができる。
【００１１】
前記ヒータは、良好な熱伝導性を有する円筒状の肉薄の加温体であって、前記加温体の内周面が前記点滴チューブの外周面に接するように前記点滴チューブを受容する前記加温体と、前記加温体の外周面軸方向に形成された螺旋溝に螺旋状に配設された発熱抵抗体と、前記発熱抵抗体が配設された前記加温体の外表面を覆うように設けられる熱伝導性の低いカバー層とによって構成することができる。これによれば、発熱抵抗体が加温体の螺旋溝に配設されるので、加温体の螺旋溝を介して加温体全体が発熱抵抗体によって効率よく加熱されると共に、点滴チューブの外周面全体を通して点滴液が加温されるため、効率のよい加温を行うことができる。また、特許文献１のように点滴液が蛇腹状の点滴液通路を通る場合、点滴液通路が極めて長くなることによって流通抵抗が増大し、点滴液が滞留するおそれがあるが、このような問題の発生を有効に防止することができる。
【発明の効果】
【００１２】
本発明によれば、ヒータによって加温される前の点滴液の入力温度が第１の設定温度よりも低い場合に、第１の制御手段によって、第２の電圧よりも高い第１の電圧でヒータが駆動制御されるので、点滴液の温度と点滴を受ける患者の体温との間の温度差が大きい場合でも、点滴液を迅速に加温することができる。また、ヒータによって加温された後の点滴液の出力温度が第１の設定温度よりも高い第２の設定温度に達すると、第２の制御手段によって、第１の電圧に代えてこれよりも低い第２の電圧でヒータが駆動制御されるので、点滴液の温度上昇が緩やかになり、点滴液の急激な温度上昇による不快感を低減することができる。
【００１３】
また、第３の制御手段によって、点滴液の入力温度が第１の設定温度よりも高い場合に、点滴液の入力温度が第２の設定温度よりも高い第３の設定温度以下であることを条件として、第１の電圧よりも低い第２の電圧でヒータを駆動制御されるようにすることによって、点滴液の温度上昇が緩やかになり、点滴液の急激な温度上昇による不快感を低減することができる。
【００１４】
また、第４の制御手段によって、点滴液の入力温度が第３の設定温度よりも高い場合に、点滴液の入力温度が第３の設定温度よりも低くなるまでの間、ヒータが駆動されないように制御されると共に、点滴液の入力温度が第３の設定温度よりも低くなった場合に、点滴液の出力温度が所定の温度範囲になるように、第１の電圧よりも低い第２の電圧でヒータを駆動制御することによって、点滴液が第３の設定温度よりも高い場合には加温が行われず、周囲温度等の影響により点滴液が第３の設定温度よりも低くなることで、加温を自動的に開始させることができる。
【００１５】
更に、ヒータを円筒状の加温体と当該加温体の外周面に形成された螺旋溝に配設された発熱抵抗体と当該発熱抵抗体が配設された加温体の外表面を覆うカバー層とによって構成することにより、加温体の螺旋溝を介して加温体全体が発熱抵抗体によって効率よく加熱される共に、点滴チューブの外周面全体を通して点滴液が加温されることとなるため、効率のよい加温を行うことができる。また、特許文献１のように点滴液が蛇腹状の点滴液通路を通る場合、点滴液通路が極めて長くなることによって流通抵抗が増大し、点滴液が滞留するおそれがあるが、このような問題の発生を有効に防止することができる。
【発明を実施するための最良の形態】
【００１６】
点滴液加温装置は、点滴チューブを通る点滴液を加温するヒータと、ヒータによって加温される前の点滴液の入力温度を検出する第１の温度センサと、ヒータによって加温された後の点滴液の出力温度を検出する第２の温度センサと、第１および第２の温度センサからの検出温度に基づいてヒータの駆動を制御するコントロールユニットとを備えている。コントロールユニットは、第１の電圧でヒータを駆動する第１の駆動手段と、第１の電圧よりも低い第２の電圧でヒータを駆動する第２の駆動手段と、第１の制御手段と、第２の制御手段とを有しいる。第１の制御手段は、点滴液の入力温度が第１の設定温度よりも低い場合に、点滴液の出力温度が第１の設定温度よりも高い第２の設定温度に達するまでの間、第１の駆動手段でヒータを駆動するように制御する。第１の設定温度は、点滴の際に患者に負担を与えるような点滴液の温度に基づいて設定され、例えば２５℃程度に設定される。第２の設定温度は、急激な温度上昇によって患者に負担を与えることのないように人間の通常の体温よりも低い温度に設定され、例えば３２℃程度に設定される。第２の制御手段は、点滴液の出力温度が第２の設定温度に達した場合に、点滴液の出力温度が第２の設定温度よりも高い所定の温度範囲になるように、第１の駆動手段に代えて第２の駆動手段でヒータを駆動するように制御する。所定の温度範囲は、人間の通常の体温の近傍範囲に設定され、例えば、３５℃から３７℃程度の温度範囲に設定される。
【００１７】
このような構成において、ヒータによって加温される前の点滴液の入力温度が第１の設定温度、例えば２５℃よりも低いと、第１の制御手段によって、第２の電圧よりも高い第１の電圧でヒータが駆動される。そのため、ヒータの発熱量が大となり、点滴液が迅速に加温されることとなる。そして、ヒータによって加温された後の点滴液の温度が第２の設定温度、例えば３２℃に達すると、第２の制御手段によって、点滴液の出力温度が第２の設定温度よりも高い所定の温度範囲、例えば３５℃から３７℃の温度範囲になるように、第１の電圧よりも低い第２の電圧でヒータが駆動制御される。そのため、第２の設定温度から所定の温度範囲に上昇させる過程では、点滴液の温度上昇が緩やかになるように加温されることとなる。
【実施例１】
【００１８】
図１は本発明の一実施例を示す構成図である。
【００１９】
図１において、１は点滴液加温装置で、ヒータ２、第１の温度センサ３、第２の温度センサ４、コントロールユニット５、および電源スイッチ６を有している。点滴液加温装置１の電源は、例えば商用電源であり、電源スイッチ６を介して供給されるようになっている。ヒータ２は、円筒形状で、その内周面が点滴チューブ７の外周面に接するように点滴チューブ７を受容し、点滴チューブ７の外周面全体を加熱するようになっている。輸血用血液を含む点滴液は、点滴チューブ７の上流側ａから下流側ｂに向かって点滴チューブ７内を通り、ヒータ２によって加温されるようになっている。第１および第２の温度センサ３，４は例えばサーミスタで構成される。第１の温度センサ３は、点滴チューブ７の上流側ａに設けられ、ヒータ２によって加温される前の点滴液の入力温度Ｔ１を検出し、その検出温度Ｔ１をコントロールユニット５に与える。第２の温度センサ４は、点滴チューブ７の下流側ｂに設けられ、ヒータによって加温された後の点滴液の出力温度Ｔ２を検出し、その検出温度Ｔ２をコントロールユニット５に与える。コントロールユニット５は、第１および第２の温度センサ３，４からの検出温度Ｔ１，Ｔ２に基づいてヒータ２の駆動を制御するようになっている。
【００２０】
図２はヒータの一例を示す構成図で、本例では、ヒータ２は加温体１０、発熱抵抗体１１およびカバー層１２によって構成されている。
【００２１】
加温体１０は、円筒形状で良好な熱伝導性を有し、その内周面が点滴チューブ７の外周面に接するように点滴チューブ７を受容している。点滴チューブ７は、本例では、予めヒータ２の加温体１０内にセットされており、後述するように点滴システムの点滴チューブに接続部を介して連通接続されるようになっている。加温体１０の肉厚は、点滴チューブ７を通る点滴液を十分に加温することができるように肉薄で、例えば２〜４ｍｍ程度である。また、加温体１０は、点滴液を十分に加熱することのできる長さに設定される。加温体１０の外周面軸方向には螺旋溝１３が加温体１０の上端部から下端部にわたって形成されている。螺旋溝１３は、発熱抵抗体１１が加温体１０の外周面から突出しないように形成され、また、発熱抵抗体１１が螺旋溝１３の底面に接するばかりでなく、螺旋溝１３の両側面に近接または接するように形成されている。これにより、加温体１０の螺旋溝１３に発熱抵抗体１１が配設された場合に、発熱抵抗体１１による発生熱が加温体１０の全体に効率よく伝播され、加温体１０が肉薄であることも相俟って、点滴チューブ７の外周面全体を効率よく加温することができる。
【００２２】
このような加温体１０は、例えばアルミナによって形成される。すなわち、８９〜９３重量％のアルミナに１１〜７重量％のメチルセルロース（ＭＣ）またはケミカルメチルセルロース（ＣＭＣ）を加え、これをインジェクションによって型に圧入することによって加温体１０の形に成形し、これを自然乾燥または３０〜６０℃程度で強制乾燥した後、１３８０〜１４２０℃で焼成することによって形成される。ＭＣまたはＣＭＣの量を多くすると、焼成後の加温体１０にＭＣまたはＣＭＣに起因する空気だまりが多くなり、加温体１０の熱伝導率が悪化する。また、ＭＣまたはＣＭＣの量を少なくすると、加温体１０の形に成形しずらくなる。本発明者の実験によれば、９０重量％のアルミナに対して１０重量％のＭＣまたはＣＭＣを加えることによって、点滴液の加温に対して良好な熱伝導性を与えることができ、また、成形が容易であることが確かめられている。このように型を用いて加温体１０を形成する場合、型によって螺旋溝１３も同時に形成される。型を用いることなく加温体１０の形を成形することも可能で、例えば、真空土練成形機によって円筒形状に成形した後、ロクロ等によって螺旋溝１３を形成するようにしてもよい。
【００２３】
発熱抵抗体１１は、例えばニクロム線であり、加温体１０の螺旋溝１３に配設されている。そのため、発熱抵抗体１１に位置ズレが生じるようなことはない。
【００２４】
発熱抵抗体１１が配設された加温体１０には、その外表面を覆うように熱伝導性の低いカバー層１２が設けられている。カバー層１２は、例えば、浸漬等によってコージェライト等を加温体１０の外表面に塗布した後、８００℃以上で焼成することによって加温体１０の外表面に設けられる。焼成温度が低いとコージェライトが剥離しやすくなるので、１０００℃程度で焼成することが望ましい。浸漬は、水、珪酸ソーダ、ＭＣまたはＣＭＣ等のバインダおよびコージェライトからなる溶液に漬けることによって行われる。また、このような浸漬によらずに周知の方法で塗布するようにしてもよい。
【００２５】
コントロールユニット５は、後述する図５および図６のフローチャートに従って、ヒータ２によって加温される前の点滴液の入力温度Ｔ１が第１の設定温度ＴＳ１（例えば２５℃）よりも低い場合に、ヒータ２によって加温された後の点滴液の出力温度Ｔ２が第２の設定温度ＴＳ２（例えば３２℃）に達するまでの間、第２の電圧Ｖ２よりも高い第１の電圧Ｖ１でヒータ２を駆動し、また、点滴液の出力温度Ｔ２が第２の設定温度ＴＳ２に達した場合に、点滴液の出力温度Ｔ２が第２の設定温度ＴＳ２よりも高い所定の温度範囲ＴＳ４〜ＴＳ５（例えば３５〜３７℃）になるように、第１の電圧Ｖ１よりも低い第２の電圧Ｖ２でヒータ２を駆動し、図３に示すような加温制御を行うようになっている。
【００２６】
図３は点滴液の加温制御を説明するための説明図で、横軸は時間であり、縦軸は温度である。図３に示されるように、本例では、点滴液の入力温度Ｔ１が第１の設定温度ＴＳ１である２５℃よりも低い場合、点滴液の出力温度Ｔ２が第２の設定電圧ＴＳ２である３２℃に達するまでの間、ヒータ２が第２の電圧Ｖ２よりも高い第１の電圧Ｖ１で駆動されることにより、点滴液が迅速に加温される。点滴液の出力温度Ｔ２が第２の設定温度ＴＳ２である３２℃に達すると、ヒータ２が第１の電圧Ｖ１よりも低い第２の電圧Ｖ２で駆動され、緩やかな温度上昇で所定の温度範囲ＴＳ３〜ＴＳ４である３５〜３７℃の温度範囲に維持される。
【００２７】
また、コントロールユニット５は、後述する図５および図６のフローチャートに従って、点滴液の入力温度Ｔ１が第１の設定温度ＴＳ１よりも高い場合に、点滴液の入力温度Ｔ１が第２の設定温度ＴＳ２よりも高い第３の設定温度ＴＳ３（例えば３７℃）以下であることを条件として、点滴液の出力温度Ｔ２が前述した所定の温度範囲になるように、第１の電圧Ｖ１よりも低い第２の電圧Ｖ２でヒータ２を駆動制御する。
【００２８】
更に、コントロールユニット５は、後述する図５および図６のフローチャートに従って、点滴液の入力温度Ｔ１が第３の設定温度である３７℃よりも高い場合に、点滴液の入力温度Ｔ１が第３の設定温度ＴＳ３よりも低くなるまでの間、ヒータ２を駆動しないように制御すると共に、点滴液の入力温度Ｔ１が第３の設定温度ＴＳ３よりも低くなった場合に、点滴液の出力温度Ｔ２が前述した所定の温度範囲になるように、第２の電圧Ｖ２でヒータ２を駆動制御する。
【００２９】
このような構成の点滴液加温装置１は、例えば図４に示されるように、点滴システム２０の流量調節器２１と点滴針２２との間に配置され、点滴液加温装置１の点滴チューブ７が接続部２３，２４を介して点滴システム２０の点滴チューブ２５に連通接続される。なお、２６は点滴液を収納する容器であり、２７は点滴筒である。
【００３０】
図５および図６はコントロールユニット５のフローチャートで、図５の端子Ａ，Ｂは図６の同符号の端子に接続される。以下、図５および図６を併用して点滴液加温装置１の動作を説明する。
【００３１】
電源スイッチ６を介して電源が印加されることで制御が開始し、先ず、ステップ３０で第１の温度センサ３からヒータ２によって加熱される前の点滴液の入力温度Ｔ１を取込み、次のステップ３１でこの入力温度Ｔ１が第１の設定温度ＴＳ１よりも低いか否かを判断する。第１の設定温度ＴＳ１は、点滴の際に患者に負担を与えるような点滴液の温度に基づいて設定され、例えば２５℃に設定される。
【００３２】
点滴液の入力温度Ｔ１が第１の設定温度ＴＳ１よりも低い場合には、コントロールユニット５はステップ３１からステップ３２に入り、第２の電圧Ｖ２よりも高い第１の電圧Ｖ１でヒータ２の駆動を開始し、次のステップ３３で第２の温度センサ４からヒータ２によって加熱された後の点滴液の出力温度Ｔ２を取込んだ後、ステップ３４に入る。ステップ３４では、取込んだ出力温度Ｔ２が第１の設定温度ＴＳ１よりも高い第２の設定温度ＴＳ２に達したか否かを判断し、達していない場合にはステップ３２に戻り、第１の電圧Ｖ１でのヒータ２の駆動を継続する。第２の設定温度ＴＳ２は、点滴液の急激な温度上昇によって被点滴者に負担を与えることのないように人間の通常の体温よりも低い温度に設定され、例えば３２℃に設定される。このように、点滴液の入力温度Ｔ１が低く体温との温度差が大きい場合、高い電圧である第１の電圧Ｖ１でヒータ２が駆動されるので、点滴液は第２の設定温度ＴＳ２に迅速に加温される。
【００３３】
点滴液の出力温度Ｔ２が第２の設定温度ＴＳ２に達すると、ステップ３５で第１の電圧Ｖ１によるヒータ２の駆動を停止し、ステップ３５から図６のステップ３６に入り、点滴液の出力温度Ｔ２が第２の設定温度ＴＳ２よりも高い所定の温度範囲になるように、本例では、第４の設定温度ＴＳ４および第５の設定温度ＴＳ５に基づいて第２の電圧Ｖ２のオン／オフ制御が行われる。所定の温度範囲は人間の通常の体温の近傍範囲に設定され、例えば、第４の設定温度ＴＳ４を３５℃に、第５の設定温度ＴＳ５を３７℃に設定することによって、点滴液の出力温度Ｔ２が３５〜３７℃の温度範囲に維持される。
【００３４】
すなわち、コントロールユニット５は、ステップ３６で第１の電圧Ｖ１に代えて当該第１の電圧Ｖ１よりも低い第２の電圧Ｖ２による駆動を開始し、次のステップ３７で第２の温度センサ４から点滴液の出力温度Ｔ２を取込んだ後、ステップ３８で出力温度Ｔ２が第５の設定温度ＴＳ５である３７℃に達したか否かを判断する。第２の設定温度ＴＳ２から第５の設定温度ＴＳ５への点滴液の加温は第１の電圧Ｖ１よりも低い第２の電圧Ｖ２で行われるので、第１の電圧Ｖ１による加温と比較して点滴液の温度上昇が緩やかになり、急激な温度上昇による被点滴者への負担が低減される。ステップ３８で点滴液の出力温度Ｔ２が第５の設定温度ＴＳ５ある３７℃に達していなければ、ステップ３９の電源スイッチ６のオン／オフ判断を経てステップ３６に戻り、第２の電圧Ｖ２によるヒータ２の駆動が継続される。この間に電源スイッチ６がオフされれば、ヒータ２の駆動制御を終了する。
【００３５】
一方、ステップ３８で点滴液の出力温度Ｔ２が第５の設定温度ＴＳ５に達すると、ステップ４０に入って第２の電圧Ｖ２によるヒータ２の駆動を停止し、次のステップ４１で第２の温度センサ４から点滴液の出力温度Ｔ２を取込んだ後、ステップ４２で出力温度Ｔ２が第４の設定温度ＴＳ４である３５℃に達したか否かを判断する。第４の設定温度ＴＳ４に達していなければ、ステップ４３の電源スイッチ６のオン／オフ判断を経てステップ４０に戻り、第２の電圧Ｖ２によるヒータ２の駆動の停止を継続する。この間に電源スイッチ６がオフされれば、ヒータ２の駆動制御を終了する。
【００３６】
ステップ４２で点滴液の出力温度Ｔ２が第４の設定温度ＴＳ４に達すると、ステップ４４の電源スイッチ６のオン／オフ判断を経てステップ３６に戻り、第２の電圧Ｖ２によるヒータ２の駆動および駆動停止が繰返され、これによって点滴液の出力温度Ｔ２が本例では３５〜３７℃の温度範囲となるように制御される。
【００３７】
図５のステップ３１において、点滴液の入力温度Ｔ１が第１の設定温度ＴＳ１である２５℃よりも高い場合には、ステップ３１からステップ４５に入り、入力温度Ｔ１が第３の設定温度ＴＳ３よりも高いか否かを判断する。第３の設定温度ＴＳ３は、加温前の点滴液の入力温度Ｔ１が通常の体温程度で加温する必要がない温度であることに基づいて設定され、例えば３７℃に設定される。
【００３８】
ステップ４５で点滴液の入力温度Ｔ１が第３の設定温度ＴＳ３である３７℃以下であれば、すなわち、入力温度Ｔ１が第１の設定温度ＴＳ１である２５℃と３７℃との間であれば、ステップ４５から図６のステップ３６に入り、前述したように、第４の設定温度ＴＳ４および第５の設定温度ＴＳ５に基づいて所定の温度範囲になるように第２の電圧Ｖ２のオン／オフ制御が行われる。これにより、点滴液の温度上昇が緩やかになり、急激な温度上昇による被点滴者への負担が低減される。
【００３９】
一方、点滴液の入力温度Ｔ１が第３の設定温度ＴＳ３である３７℃以上であれば、ステップ４６の電源スイッチ６のオン／オフ判断を経てステップ３０に戻る。この間に電源スイッチ６がオフされれば、ヒータ２の駆動制御を終了する。これにより、点滴液が第３の設定温度ＴＳ３よりも高い場合には加温が行われず、周囲温度等の影響により点滴液が第３の設定温度ＴＳ３よりも低くなった場合に、点滴液の加温を自動的に開始させることができる。
【００４０】
以上述べた実施例では、第２の電圧Ｖ２のオン／オフ制御によって点滴液の出力温度Ｔ２を所定の温度範囲に維持するようにしたが、デューティ制御等のその他の方法によって維持するようにしてもよい。また、所定の温度範囲は外部操作によって可変することができるように構成してもよい。更に、点滴液の加温に用いられている周知のヒータを用いるように構成することもできる。
【産業上の利用可能性】
【００４１】
本発明は点滴液の加温装置として有効に利用することができる。
【図面の簡単な説明】
【００４２】
【図１】図１は本発明の一実施例を示す構成図である。
【図２】図２はヒータの一例を示す構成図である。
【図３】図３は点滴液の加温制御を説明するための説明図である。
【図４】図４は使用状態を説明するための説明図である。
【図５】図５はコントロールユニットのフローチャートである。
【図６】図６はコントロールユニットのフローチャートで、図５の同符号の端子に接続される。
【符号の説明】
【００４３】
１  点滴液加温装置
２  ヒータ
３  第１の温度センサ
４  第２の温度センサ
５  コントロールユニット
７  点滴チューブ
【図１】
2007143572.tif 000003
【図２】
2007143572.tif 000004
【図３】
2007143572.tif 000005
【図４】
2007143572.tif 000006
【図５】
2007143572.tif 000007
【図６】
2007143572.tif 000008